(57)【要約】【課題】低コストかつノイズの発生を抑制しつつ、オーバーシュート駆動が採用されている液晶表示装置の大型化を実現することを目的とする。【解決手段】液晶表示装置に、第１のソースドライバ３１０の動作を制御するための第１の表示制御回路２１０と第２のソースドライバ３２０の動作を制御するための第２の表示制御回路２２０とを備える。外部からの画像データＤＡＴは第１の表示制御回路２１０に与えられる。第１の表示制御回路２１０では、画像データＤＡＴの示す現フレーム階調Ｋｔと第１のフレームメモリ２１２に格納された前フレーム階調Ｋｓとに基づき、印加階調Ｋｕが決定される。その印加階調Ｋｕは、符号化部２１４で符号化され、符号化データとして第１の表示制御回路２１０から第２の表示制御回路２２０へ伝送される。第２の表示制御回路２２０では、符号化データが印加階調Ｋｕに復号化される。【選択図】図１
2007078914.tif 000002
【特許請求の範囲】
【請求項１】
表示部に配設された複数の映像信号線に駆動用の映像信号を印加することにより前記表示部に複数の階調の画像を表示する表示装置の駆動回路であって、
少なくとも１フレーム分の階調を示すデータを格納する第１のフレームメモリを備え、外部から送られる画像データを受け取るとともに前記画像データを前記第１のフレームメモリに格納し、前記画像データの示す階調の画像が前記表示部に表示されるように、前記画像データの示す階調である現フレーム階調と前記第１のフレームメモリに格納された１フレーム前の階調である前フレーム階調との組み合わせに基づいて決定される、前記駆動用の映像信号を生成するための印加階調と、前記前フレーム階調に応じて前記印加階調を符号化することによって得られる符号化データとを出力する第１の表示制御回路と、
少なくとも１フレーム分の階調を示すデータを格納する第２のフレームメモリを備え、前記第１の表示制御回路から出力された符号化データを受け取り、前記第２のフレームメモリに格納された前フレーム階調に応じて前記符号化データを復号化することによって得られる印加階調を出力するとともに当該復号化によって得られる前記現フレーム階調を前記第２のフレームメモリに格納する第２の表示制御回路と、
前記第１の表示制御回路から出力された印加階調に基づいて、前記複数の映像信号線に前記駆動用の映像信号を印加する第１の映像信号線駆動回路と、
前記第２の表示制御回路から出力された印加階調に基づいて、前記複数の映像信号線に前記駆動用の映像信号を印加する第２の映像信号線駆動回路と
を備えることを特徴とする、駆動回路。
【請求項２】
前記第１の表示制御回路は、
連続する２フレーム期間において先行するフレーム期間の階調と後続のフレーム期間の階調とに応じて、当該後続のフレーム期間に前記複数の映像信号線に印加すべき駆動用の映像信号を生成するための階調を与える第１のルックアップテーブルと、
前記先行するフレーム期間の階調が前記前フレーム階調である場合に前記第１のルックアップテーブルが与え得る階調の何番目の階調に前記印加階調が該当するかに基づいて前記印加階調を符号化する符号化部とを備え、
前記第２の表示制御回路は、
連続する２フレーム期間において先行するフレーム期間の階調と後続のフレーム期間の階調とに応じて、当該後続のフレーム期間に前記複数の映像信号線に印加すべき駆動用の映像信号を生成するための階調を与える第２のルックアップテーブルと、
前記先行するフレーム期間の階調が前記前フレーム階調である場合に前記第２のルックアップテーブルが与え得る階調のうち前記符号化データの示す番目の階調を前記印加階調として前記符号化データを復号化する復号化部とを備えていることを特徴とする、請求項１に記載の駆動回路。
【請求項３】
前記第１の表示制御回路から前記第２の表示制御回路へ前記符号化データを伝送するために設けられている信号線の本数は、前記表示部に表示される画像の各階調を示すデータの全てを伝送するために必要な信号線の本数よりも少ないことを特徴とする、請求項１または２に記載の駆動回路。
【請求項４】
表示装置であって、
複数の映像信号線を有し、該複数の映像信号線に駆動用の映像信号を印加することにより複数の階調の画像を表示する表示部と、
少なくとも１フレーム分の階調を示すデータを格納する第１のフレームメモリを備え、外部から送られる画像データを受け取るとともに前記画像データを前記第１のフレームメモリに格納し、前記画像データの示す階調の画像が前記表示部に表示されるように、前記画像データの示す階調である現フレーム階調と前記第１のフレームメモリに格納された１フレーム前の階調である前フレーム階調との組み合わせに基づいて決定される、前記駆動用の映像信号を生成するための印加階調と、前記前フレーム階調に応じて前記印加階調を符号化することによって得られる符号化データとを出力する第１の表示制御回路と、
少なくとも１フレーム分の階調を示すデータを格納する第２のフレームメモリを備え、前記第１の表示制御回路から出力された符号化データを受け取り、前記第２のフレームメモリに格納された前フレーム階調に応じて前記符号化データを復号化することによって得られる印加階調を出力するとともに当該復号化によって得られる前記現フレーム階調を前記第２のフレームメモリに格納する第２の表示制御回路と、
前記第１の表示制御回路から出力された印加階調に基づいて、前記複数の映像信号線に前記駆動用の映像信号を印加する第１の映像信号線駆動回路と、
前記第２の表示制御回路から出力された印加階調に基づいて、前記複数の映像信号線に前記駆動用の映像信号を印加する第２の映像信号線駆動回路と
を備えることを特徴とする、表示装置。
【請求項５】
前記第１の表示制御回路は、
連続する２フレーム期間において先行するフレーム期間の階調と後続のフレーム期間の階調とに応じて、当該後続のフレーム期間に前記複数の映像信号線に印加すべき駆動用の映像信号を生成するための階調を与える第１のルックアップテーブルと、
前記先行するフレーム期間の階調が前記前フレーム階調である場合に前記第１のルックアップテーブルが与え得る階調の何番目の階調に前記印加階調が該当するかに基づいて前記印加階調を符号化する符号化部とを備え、
前記第２の表示制御回路は、
連続する２フレーム期間において先行するフレーム期間の階調と後続のフレーム期間の階調とに応じて、当該後続のフレーム期間に前記複数の映像信号線に印加すべき駆動用の映像信号を生成するための階調を与える第２のルックアップテーブルと、
前記先行するフレーム期間の階調が前記前フレーム階調である場合に前記第２のルックアップテーブルが与え得る階調のうち前記符号化データの示す番目の階調を前記印加階調として前記符号化データを復号化する復号化部とを備えていることを特徴とする、請求項４に記載の表示装置。
【請求項６】
前記第１の表示制御回路から前記第２の表示制御回路へ前記符号化データを伝送するために設けられている信号線の本数は、前記表示部に表示される画像の各階調を示すデータの全てを伝送するために必要な信号線の本数よりも少ないことを特徴とする、請求項４または５に記載の表示装置。
【発明の詳細な説明】
【技術分野】
【０００１】
本発明は、表示装置およびその駆動回路に関し、より詳しくは駆動方式にオーバーシュート駆動が採用されている表示装置およびその駆動回路に関する。
【背景技術】
【０００２】
近年、パソコンやテレビ等のディスプレイについて軽量化や薄型化が強く要求されており、そのようなディスプレイに軽量化や薄型化が容易な液晶表示装置の採用が急速に進んでいる。ところが、液晶は応答速度が低いため、液晶表示装置で動画の表示が行われるときに、十分な画質が得られないことがある。そこで、液晶の応答速度の低さに起因する動画表示の際の画質の低下を抑制するために、従来より、オーバーシュート駆動と呼ばれる駆動方式が採用されている。オーバーシュート駆動とは、１フレーム前の画像信号と現フレームの画像信号との組み合わせに応じて、現フレームの画像信号に対応する予め決められた階調電圧よりも高い駆動電圧あるいは現フレームの画像信号に対応する予め決められた階調電圧よりも低い駆動電圧を液晶パネルに供給する駆動方式である。このようなオーバーシュート駆動を採用することにより、液晶が目標とする透過率に到達するまでの時間が短縮され、液晶表示装置において動画の表示が行われる際の画質の低下が抑制されている。
【０００３】
オーバーシュート駆動が採用された液晶表示装置では、１フレーム前の画像信号に対応する階調（以下、「前フレーム階調」という。）と現フレームの画像信号に対応する階調（以下、「現フレーム階調」という。）との組み合わせに基づいて、実際に印加する駆動電圧に対応する階調（以下、「印加階調」という。）が決定される。このため、連続する２フレーム期間において先行するフレーム期間の階調と後続のフレーム期間の階調とに応じて当該後続のフレーム期間にソースバスライン（映像信号線）に印加すべき駆動用映像信号を生成するための階調を与えるルックアップテーブル（Ｌｏｏｋ  Ｕｐ  Ｔａｂｌｅ）（以下、「ＬＵＴ」という。）が保持されている。以下、前フレーム階調、現フレーム階調、印加階調などの各画素の階調を示すためのデータを総称して「階調データ」という。
【０００４】
ところで、近年、大画面のテレビジョンが普及する等、表示装置に対する大型化の要求が高まっている。従来、液晶表示装置においては、ソースバスラインを駆動するためのソースドライバ（映像信号線駆動回路）は表示部の一側のみに設けられていた。ところが、表示装置の大型化に伴い、駆動用映像信号の駆動能力不足に起因する表示不良が起こるようになった。そこで、図７（ａ）に示すように、表示部９００の一側（上側）に第１のソースドライバ７１０を備え、表示部９００の他側（下側）に第２のソースドライバ７２０を備える液晶表示装置が提案されている。この液晶表示装置では、表示部９００の裏面のコントロール基板６０上に設けられた表示制御回路６００が、外部から画像データＤＡＴを受け取り、第１のソースドライバ７１０、第２のソースドライバ７２０、およびゲートバスライン（走査信号線）を駆動するためのゲートドライバ（走査信号線駆動回路）８００の動作を制御している。各ソースバスラインには、第１のソースドライバ７１０と第２のソースドライバ７２０とから駆動用映像信号が印加される。このため、駆動用映像信号の駆動能力不足に起因する表示不良の発生が抑制される。
【０００５】
しかしながら、更に表示装置の大型化が進み、表示制御回路９００と各ソースドライバ７１０、７２０との間の距離も長くなってきた。このため、信号の減衰等の理由により、表示制御回路９００から各ソースドライバ７１０、７２０にデータを正常に伝送することが難しくなってきた。そこで、図７（ｂ）に示すように、表示部９００の裏面にコントロール基板を２つ備える液晶表示装置が提案されている。この液晶表示装置では、一方のコントロール基板６１に第１のソースドライバ７１０の動作を制御するための第１の表示制御回路６１０が設けられ、他方のコントロール基板６２に第２のソースドライバ７２０の動作を制御するための第２の表示制御回路６２０が設けられている。第１の表示制御回路６１０は、外部から画像データＤＡＴを受け取り、第１のソースドライバ７１０およびゲートドライバ８００の動作を制御する。また、第１の表示制御回路６１０は、画像表示のタイミングを取るための同期信号データと階調データとを第２の表示制御回路６２０に送信する。第２の表示制御回路６２０は、第１の表示制御回路６１０から送信された同期信号データおよび階調データを受け取り、第２のソースドライバ７２０の動作を制御する。このように、表示制御回路およびソースドライバをそれぞれ複数備えることによって、液晶表示装置の大型化が実現されている。
【０００６】
なお、上述のオーバーシュート駆動に関しては、例えば、特許文献１あるいは特許文献２に開示されている。また、１つの表示部に対して複数の動作回路を備える表示装置に関しては、例えば、特許文献３に開示されている。
【特許文献１】特開２００４−６９８４５号公報
【特許文献２】特開２００５−４９８４０号公報
【特許文献３】特開平１１−３３８４２７号公報
【発明の開示】
【発明が解決しようとする課題】
【０００７】
ところが、液晶表示装置を図７（ｂ）に示す構成にした場合、同期信号データと階調データとを第１の表示制御回路６１０から第２の表示制御回路６２０に伝送する必要がある。このため、表示装置の階調数に応じて、第１の表示制御回路６１０と第２の表示制御回路６２０とを接続する信号線が必要となる。従って、階調数が多くなるほど、必要とされる信号線の本数が増加し、製造コストが上昇する。また、信号線の本数が増加するにしたがい、ノイズが発生しやすくなり、表示品位が低下する。
【０００８】
そこで、本発明は、低コストかつノイズの発生を抑制しつつ、オーバーシュート駆動が採用されている液晶表示装置の大型化を実現することを目的とする。
【課題を解決するための手段】
【０００９】
第１の発明は、表示部に配設された複数の映像信号線に駆動用の映像信号を印加することにより前記表示部に複数の階調の画像を表示する表示装置の駆動回路であって、
少なくとも１フレーム分の階調を示すデータを格納する第１のフレームメモリを備え、外部から送られる画像データを受け取るとともに前記画像データを前記第１のフレームメモリに格納し、前記画像データの示す階調の画像が前記表示部に表示されるように、前記画像データの示す階調である現フレーム階調と前記第１のフレームメモリに格納された１フレーム前の階調である前フレーム階調との組み合わせに基づいて決定される、前記駆動用の映像信号を生成するための印加階調と、前記前フレーム階調に応じて前記印加階調を符号化することによって得られる符号化データとを出力する第１の表示制御回路と、
少なくとも１フレーム分の階調を示すデータを格納する第２のフレームメモリを備え、前記第１の表示制御回路から出力された符号化データを受け取り、前記第２のフレームメモリに格納された前フレーム階調に応じて前記符号化データを復号化することによって得られる印加階調を出力するとともに当該復号化によって得られる前記現フレーム階調を前記第２のフレームメモリに格納する第２の表示制御回路と、
前記第１の表示制御回路から出力された印加階調に基づいて、前記複数の映像信号線に前記駆動用の映像信号を印加する第１の映像信号線駆動回路と、
前記第２の表示制御回路から出力された印加階調に基づいて、前記複数の映像信号線に前記駆動用の映像信号を印加する第２の映像信号線駆動回路と
を備えることを特徴とする。
【００１０】
第２の発明は、第１の発明において、
前記第１の表示制御回路は、
連続する２フレーム期間において先行するフレーム期間の階調と後続のフレーム期間の階調とに応じて、当該後続のフレーム期間に前記複数の映像信号線に印加すべき駆動用の映像信号を生成するための階調を与える第１のルックアップテーブルと、
前記先行するフレーム期間の階調が前記前フレーム階調である場合に前記第１のルックアップテーブルが与え得る階調の何番目の階調に前記印加階調が該当するかに基づいて前記印加階調を符号化する符号化部とを備え、
前記第２の表示制御回路は、
連続する２フレーム期間において先行するフレーム期間の階調と後続のフレーム期間の階調とに応じて、当該後続のフレーム期間に前記複数の映像信号線に印加すべき駆動用の映像信号を生成するための階調を与える第２のルックアップテーブルと、
前記先行するフレーム期間の階調が前記前フレーム階調である場合に前記第２のルックアップテーブルが与え得る階調のうち前記符号化データの示す番目の階調を前記印加階調として前記符号化データを復号化する復号化部とを備えていることを特徴とする。
【００１１】
第３の発明は、第１または第２の発明において、
前記第１の表示制御回路から前記第２の表示制御回路へ前記符号化データを伝送するために設けられている信号線の本数は、前記表示部に表示される画像の各階調を示すデータの全てを伝送するために必要な信号線の本数よりも少ないことを特徴とする。
【００１２】
第４の発明は、表示装置であって、
複数の映像信号線を有し、該複数の映像信号線に駆動用の映像信号を印加することにより複数の階調の画像を表示する表示部と、
少なくとも１フレーム分の階調を示すデータを格納する第１のフレームメモリを備え、外部から送られる画像データを受け取るとともに前記画像データを前記第１のフレームメモリに格納し、前記画像データの示す階調の画像が前記表示部に表示されるように、前記画像データの示す階調である現フレーム階調と前記第１のフレームメモリに格納された１フレーム前の階調である前フレーム階調との組み合わせに基づいて決定される、前記駆動用の映像信号を生成するための印加階調と、前記前フレーム階調に応じて前記印加階調を符号化することによって得られる符号化データとを出力する第１の表示制御回路と、
少なくとも１フレーム分の階調を示すデータを格納する第２のフレームメモリを備え、前記第１の表示制御回路から出力された符号化データを受け取り、前記第２のフレームメモリに格納された前フレーム階調に応じて前記符号化データを復号化することによって得られる印加階調を出力するとともに当該復号化によって得られる前記現フレーム階調を前記第２のフレームメモリに格納する第２の表示制御回路と、
前記第１の表示制御回路から出力された印加階調に基づいて、前記複数の映像信号線に前記駆動用の映像信号を印加する第１の映像信号線駆動回路と、
前記第２の表示制御回路から出力された印加階調に基づいて、前記複数の映像信号線に前記駆動用の映像信号を印加する第２の映像信号線駆動回路と
を備えることを特徴とする。
【００１３】
第５の発明は、第４の発明において、
前記第１の表示制御回路は、
連続する２フレーム期間において先行するフレーム期間の階調と後続のフレーム期間の階調とに応じて、当該後続のフレーム期間に前記複数の映像信号線に印加すべき駆動用の映像信号を生成するための階調を与える第１のルックアップテーブルと、
前記先行するフレーム期間の階調が前記前フレーム階調である場合に前記第１のルックアップテーブルが与え得る階調の何番目の階調に前記印加階調が該当するかに基づいて前記印加階調を符号化する符号化部とを備え、
前記第２の表示制御回路は、
連続する２フレーム期間において先行するフレーム期間の階調と後続のフレーム期間の階調とに応じて、当該後続のフレーム期間に前記複数の映像信号線に印加すべき駆動用の映像信号を生成するための階調を与える第２のルックアップテーブルと、
前記先行するフレーム期間の階調が前記前フレーム階調である場合に前記第２のルックアップテーブルが与え得る階調のうち前記符号化データの示す番目の階調を前記印加階調として前記符号化データを復号化する復号化部とを備えていることを特徴とする。
【００１４】
第６の発明は、第４または第５の発明において、
前記第１の表示制御回路から前記第２の表示制御回路へ前記符号化データを伝送するために設けられている信号線の本数は、前記表示部に表示される画像の各階調を示すデータの全てを伝送するために必要な信号線の本数よりも少ないことを特徴とする。
【発明の効果】
【００１５】
上記第１の発明によれば、表示装置の駆動回路には、第１の表示制御回路と第２の表示制御回路とが設けられている。第１の表示制御回路には第１のフレームメモリが含まれており、第２の表示制御回路には第２のフレームメモリが含まれている。第１のフレームメモリおよび第２のフレームメモリには、少なくとも１フレーム分の階調を示すデータが格納されている。第１の表示制御回路では、外部から送られる画像データの示す現フレーム階調と第１のフレームメモリに格納された前フレーム階調とに基づいて印加階調が決定される。その印加階調は前フレーム階調に応じて符号化され、符号化されたデータ（符号化データ）が第１の表示制御回路から第２の表示制御回路に伝送される。第２の表示制御回路では、第１の表示制御回路から送られた符号化データを復号化することによって、印加階調が得られる。ここで、各前フレーム階調の取り得る印加階調の数は、表示装置の階調数よりも少ない。このため、各前フレーム階調の取り得る印加階調に基づいて印加階調を符号化することにより、当該印加階調を表わすために必要なデータ量が少なくなる。例えば、或る前フレーム階調の取り得る印加階調が「０、２、４、６、９、１２・・・」である場合には、当該印加階調をそれぞれ「０、１、２、３、４、５・・・」と符号化する。これにより、第１の表示制御回路から第２の表示制御回路へ伝送すべき階調データを表わすために必要なビット数が従来よりも削減される。すなわち、第１の表示制御回路から第２の表示制御回路への階調データの伝送のために必要とされる信号線の本数が従来よりも削減される。その結果、装置の製造コストを低減することができる。また、信号線の本数が減少することによってノイズが減り、表示品位が向上する。
【００１６】
上記第２の発明によれば、第１の表示制御回路および第２の表示制御回路には、先行するフレーム期間の階調と後続のフレーム期間の階調とに応じて当該後続のフレーム期間に映像信号線に印加すべき駆動用の映像信号を生成するための階調を与えるルックアップテーブルが設けられている。そして、そのルックアップテーブルに基づいて階調データの符号化と復号化とが行われる。このため、液晶の応答特性が異なる表示装置についても、ルックアップテーブルの内容を書き替えるだけで、上記第１の発明と同様、製造コストの低減とノイズ減少による表示品位の向上が実現される。
【００１７】
上記第３の発明によれば、表示部に表示される画像の階調をそのままデータとして伝送する従来の構成に比して、階調データを伝送するために必要な信号線の本数が少なくなる。このため、上記第１の発明および上記第２の発明と同様、製造コストの低減とノイズ減少による表示品位の向上が実現される。
【発明を実施するための最良の形態】
【００１８】
以下、添付図面を参照しつつ本発明の一実施形態について説明する。
【００１９】
＜１．液晶表示装置の全体構成および動作＞
図２は、本発明の一実施形態に係る液晶表示装置の全体構成を示すブロック図である。この液晶表示装置は、第１の表示制御回路２１０と第２の表示制御回路２２０と第１のソースドライバ（第１の映像信号線駆動回路）３１０と第２のソースドライバ（第２の映像信号線駆動回路）３２０とゲートドライバ（走査信号線駆動回路）４００と表示部５００とを備えている。表示部５００には複数のソースバスライン（映像信号線）と複数のゲートバスライン（走査信号線）とが含まれている。各ソースバスラインは第１のソースドライバ３１０および第２のソースドライバ３２０に接続され、各ゲートバスラインはゲートドライバ４００と接続されている。なお、第１の表示制御回路２１０は、物理的には、表示部５００裏面のうち第１のソースドライバ３１０近傍に設けられたコントロール基板上に配置され、第２の表示制御回路２２０は、第２のソースドライバ３２０近傍に設けられたコントロール基板上に配置されている。
【００２０】
第１の表示制御回路２１０は、外部から送られる画像データＤＡＴを受け取り、画像信号ＤＡと、表示部５００に画像を表示するタイミングを制御するためのソーススタートパルス信号ＳＳＰ、ソースクロック信号ＳＣＫ、ラッチストローブ信号ＬＳ、ゲートスタートパルス信号ＧＳＰ、およびゲートクロック信号ＧＣＫと、第２の表示制御回路２２０で画像信号ＤＡを生成するための符号化データＤＦと、第２の表示制御回路２２０でソーススタートパルス信号ＳＳＰ、ソースクロック信号ＳＣＫ、およびラッチストローブ信号ＬＳを生成するためのタイミング信号群ＴＡとを出力する。第２の表示制御回路２２０は、第１の表示制御回路２１０から出力される符号化データＤＦとタイミング信号群ＴＡとを受け取り、画像信号ＤＡ、ソーススタートパルス信号ＳＳＰ、ソースクロック信号ＳＣＫ、およびラッチストローブ信号ＬＳを出力する。
【００２１】
第１のソースドライバ３１０は、第１の表示制御回路２１０から出力されるソーススタートパルス信号ＳＳＰとソースクロック信号ＳＣＫとラッチストローブ信号ＬＳと画像信号ＤＡとを受け取り、各ソースバスラインに駆動用の映像信号を出力する。第２のソースドライバ３２０は、第２の表示制御回路２２０から出力されるソーススタートパルス信号ＳＳＰとソースクロック信号ＳＣＫとラッチストローブ信号ＬＳと画像信号ＤＡとを受け取り、各ソースバスラインに駆動用の映像信号を出力する。ゲートドライバ４００は、第１の表示制御回路２１０から出力されるゲートスタートパルス信号ＧＳＰとゲートクロック信号ＧＣＫとを受け取り、アクティブな走査信号の各ゲートバスラインへの印加を１垂直走査期間を周期として繰り返す。
【００２２】
以上のようにして、各ソースバスラインに駆動用の映像信号が印加され、各ゲートバスラインに走査信号が印加されることにより、表示部５００に画像が表示される。
【００２３】
＜２．表示制御回路の構成＞
次に、本実施形態における表示制御回路の構成について説明する。本実施形態においては、上述したように、第１のソースドライバ３１０の動作を制御するための第１の表示制御回路２１０と第２のソースドライバ３２０の動作を制御するための第２の表示制御回路２２０とが設けられている。図１は、第１の表示制御回路２１０と第２の表示制御回路２２０の詳細な構成を示すブロック図である。なお、図１には、階調データの処理に関する構成要素のみを示し、ソーススタートパルス信号ＳＳＰ等のタイミング信号を生成するための構成要素については省略している。また、前フレーム階調、現フレーム階調、および印加階調をそれぞれ参照符号Ｋｓ、Ｋｔ、およびＫｕで示している。
【００２４】
第１の表示制御回路２１０には、信号入力部２１１と第１のフレームメモリ２１２とオーバーシュートパラメータ演算部２１３と符号化部２１４と第１のＬＵＴ２１５とが含まれている。一方、第２の表示制御回路２２０には、復号化部２２１と第２のフレームメモリ２２２と第２のＬＵＴ２２３とが含まれている。第１の表示制御回路２１０と第２の表示制御回路２２０とは、同期信号データを伝送するための信号線（不図示）と階調データを伝送するための信号線２０とによって接続されている。
【００２５】
＜３．第１の表示制御回路から第２の表示制御回路への階調データの伝送＞
次に、図１から図５を参照しつつ、第１の表示制御回路２１０から第２の表示制御回路２２０への階調データの伝送について説明する。本実施形態においては、液晶の応答速度の低さに起因する画質劣化を抑制するためにオーバーシュート駆動が採用されている。図３は、オーバーシュート駆動のために設けられているＬＵＴの一例を示す図である。ＬＵＴは、連続する２フレーム期間において先行するフレーム期間の階調と後続のフレーム期間の階調とに応じて、後続のフレーム期間にソースバスラインに印加すべき駆動用の映像信号を生成するための階調を与える。すなわち、このＬＵＴによって、前フレーム階調と現フレーム階調との組み合わせに基づき、印加階調が決定される。例えば、前フレーム階調が「３２」で現フレーム階調が「１２８」であれば、印加階調は「１６２」となる。また、前フレームが「２５５」で現フレームが「１２８」であれば、印加階調は「９３」となる。このように、前フレーム階調よりも現フレーム階調の方が大きい時には、現フレーム階調よりも大きい階調が印加階調として使用される。一方、前フレーム階調よりも現フレーム階調の方が小さい時には、現フレーム階調よりも小さい階調が印加階調として使用される。このような印加階調に基づく駆動が行われることにより、液晶が目標とする透過率に到達するまでの時間が短縮され、動画表示における画質劣化が抑制される。なお、図３に示されていない先行するフレーム期間の階調（前フレーム階調）と後続のフレーム期間の階調（現フレーム階調）との組み合わせに対応する階調（印加階調）については、図３に示されているデータを補間することによって決定される。また、第１のＬＵＴ２１５と第２のＬＵＴ２２３には、同じ内容のデータが格納されている。
【００２６】
第１の表示制御回路２１０においては、以下のようにして、第２の表示制御回路２２０に送信するための階調データが生成される。信号入力部２１１は、外部から与えられる画像データＤＡＴを受け取り、それを現フレーム階調Ｋｔとして出力する。信号入力部２１１から出力された現フレーム階調Ｋｔは、オーバーシュートパラメータ演算部２１３に与えられるとともに、第１のフレームメモリ２１２に書き込まれる。第１のフレームメモリ２１２は、ＦＩＦＯ（Ｆｉｒｓｔ  Ｉｎ  Ｆｉｒｓｔ  Ｏｕｔ）やＲＡＭ（Ｒａｎｄｏｍ  Ａｃｃｅｓｓ  Ｍｅｍｏｒｙ）等のメモリであって、第１のフレームメモリ２１２には、１フレーム分の画素についての階調データが格納される。また、本実施形態においては、第１のフレームメモリ２１２に格納される階調データは１フレーム分であるので、上述のように或る画素についての現フレーム階調Ｋｔが書き込まれる前に、当該画素についての前フレーム階調Ｋｓが読み出される。
【００２７】
オーバーシュートパラメータ演算部２１３は、信号入力部２１１から出力された現フレーム階調Ｋｔと第１のフレームメモリ２１２から読み出された前フレーム階調Ｋｓとを受け取り、上述のように第１のＬＵＴ２１５を参照して印加階調Ｋｕを出力する。その印加階調Ｋｕは、符号化部２１４に与えられるとともに、図２に示す画像信号ＤＡとして第１のソースドライバ３１０に送信される。
【００２８】
符号化部２１４は、オーバーシュートパラメータ演算部２１３から出力された印加階調Ｋｕと第１のフレームメモリ２１２から読み出された前フレーム階調Ｋｓとを受け取り、第１のＬＵＴ２１５を参照して符号化データＤＦを出力する。ここで、符号化データＤＦの算出について、前フレーム階調Ｋｓが「３」で、印加階調Ｋｕが「１７」である場合を例に挙げて説明する。図４は、図３に示したＬＵＴについて、先行するフレーム期間の階調および後続のフレーム期間の階調が「０」から「３２」の間にあるデータを補間したものを示す図である。図４において、先行するフレーム期間の階調（前フレーム階調Ｋｓ）が「３」であるデータの取り得る階調（印加階調）に着目すると、「０、２、３、３、６、１２、１４、１７、１９、・・・」となっている。そこで、前フレーム階調Ｋｓが「３」であるときに取り得る印加階調Ｋｕ（ＬＵＴが与え得る階調）をそれぞれ図５に示すように符号化データＤＦに変換する。上述の例では、印加階調Ｋｕは「１７」であるので、符号化データＤＦは「６」となる。このようにして生成された符号化データＤＦが、第１の表示制御回路２１０から第２の表示制御回路２２０へと伝送される。
【００２９】
第２の表示制御回路２２０においては、復号化部２２１が、第１の表示制御回路２１０の符号化部２１４から出力された符号化データＤＦを受け取る。復号化部２２１は、また、第２のフレームメモリ２２２から前フレーム階調Ｋｓを読み出す。復号化部２２１は、第２のＬＵＴ２２３を参照して、符号化データＤＦと前フレーム階調Ｋｓとに基づき、印加階調Ｋｕと現フレーム階調Ｋｔとを出力する。上述の例では、前フレーム階調Ｋｓは「３」で、符号化データＤＦは「６」であるので、第２のＬＵＴ２２３を参照することにより、印加階調Ｋｕは「１７」で、現フレーム階調Ｋｔは「７」であることを求めることができる。復号化部２２１から出力された現フレーム階調Ｋｔは第２のフレームメモリ２２２に書き込まれ、印加階調Ｋｕは図２に示す画像信号ＤＡとして第２のソースドライバ３２０に送信される。なお、第２のフレームメモリ２２２は、第１のフレームメモリ２１２と同様、ＦＩＦＯ（Ｆｉｒｓｔ  Ｉｎ  Ｆｉｒｓｔ  Ｏｕｔ）やＲＡＭ（Ｒａｎｄｏｍ  Ａｃｃｅｓｓ  Ｍｅｍｏｒｙ）等のメモリであって、第２のフレームメモリ２２２には、１フレーム分の画素についての階調データが格納されている。
【００３０】
＜４．階調データの伝送のための信号線＞
次に、図６を参照しつつ、第１の表示制御回路２１０から第２の表示制御回路２２０への階調データの伝送のために必要とされる信号線の本数について説明する。図６には、前フレーム階調毎の取り得る印加階調の数およびその取り得る印加階調を表わすために必要なビット数を示している。例えば、前フレーム階調が「３」の場合、取り得る印加階調の数は「１７７」であり、その１７７個の印加階調を表わすために必要なビット数は「７．４６７６０６」である。
【００３１】
ここで、ＲＧＢ（Ｒｅｄ：赤、Ｇｒｅｅｎ：緑、Ｂｌｕｅ：青）の各色が２５６階調の従来の一般的なカラー液晶表示装置において、印加階調の値をそのままデータとして第１の表示制御回路２１０から第２の表示制御回路２２０に伝送する場合に必要な信号線の本数について検討する。２の８乗が２５６であるため、２５６個の印加階調を表わすために必要なビット数は「８」である。従って、１色の階調データの伝送のために必要な信号線は８本である。ＲＧＢの３色のカラー液晶表示装置の場合には、必要な信号線は２４本となる。
【００３２】
本実施形態においては、印加階調の値がそのままデータとして伝送されるのではなく、上述のように変換された符号化データＤＦが伝送される。このため、階調データの伝送のために必要な信号線の本数は、図６に示す前フレーム階調毎の取り得る印加階調の数のうち最大のものに対応する必要ビット数に基づいて決定される。図６には「０」から「２５５」までの前フレーム階調のうちの一部のみを示しているが、例えば、取り得る印加階調の数のうちの最大のものに対応する必要ビット数が「７．６」である場合、３色の階調データを表わすために必要なビット数は「２２．８」となる。すなわち、階調データの伝送のために必要な信号線は２３本となる。
【００３３】
＜５．効果＞
以上のように、本実施形態によると、液晶表示装置には、第１のソースドライバ３１０の動作を制御するための第１の表示制御回路２１０と第２のソースドライバ３２０の動作を制御するための第２の表示制御回路２２０とが設けられている。第１の表示制御回路２１０には第１のフレームメモリ２１２および第１のＬＵＴ２１５が含まれており、第２の表示制御回路２２０には第２のフレームメモリ２２２および第２のＬＵＴ２２３が含まれている。第１のフレームメモリ２１２および第２のフレームメモリ２２２には、各画素の１フレーム前の階調である前フレーム階調Ｋｓが格納されている。第１のＬＵＴ２１５および第２のＬＵＴ２２３は、前フレーム階調と現フレーム階調との組み合わせに基づいて印加階調を決定することができるように、先行するフレーム期間の階調と後続のフレーム期間の階調とに応じて所定の階調を与える。第１の表示制御回路２１０では、外部から与えられた画像データＤＡＴの示す階調である現フレーム階調Ｋｔと第１のフレームメモリ２１２に格納された前フレーム階調Ｋｓとに基づいて、第１のＬＵＴ２１５を参照して、印加階調Ｋｕが決定される。ここで、各前フレーム階調Ｋｓの取り得る印加階調の数は、この液晶表示装置の階調数よりも少ない。このため、各前フレーム階調Ｋｓの取り得る印加階調に基づいて印加階調Ｋｕを符号化することにより、当該印加階調Ｋｕを表わすために必要なデータ量が少なくなる。すなわち、第１の表示制御回路２１０から第２の表示制御回路２２０へ伝送すべき階調データを表わすために必要なビット数が従来よりも削減される。これにより、階調データを伝送するために必要とされる信号線の本数が従来よりも削減される。その結果、液晶表示装置の製造コストを低減することができる。また、信号線の本数が減少することによってノイズが減り、表示品位が向上する。
【００３４】
＜６．その他＞
上記実施形態においては、第１のソースドライバ３１０と第２のソースドライバ３２０とからは同波形の駆動用映像信号が出力される構成としているが、本発明はこれに限定されない。例えば、表示部５００が上下に２分割され、表示部５００の上半分の画像表示を第１のソースドライバ３１０が行い、表示部５００の下半分の画像表示を第２のソースドライバ３２０が行う液晶表示装置にも本発明を適用することができる。
【００３５】
また、上記実施形態においては、第１のフレームメモリ２１２および第２のフレームメモリ２２２には１フレーム分のみの階調データが格納される構成としているが、本発明はこれに限定されない。コストは高くなるが、第１のフレームメモリ２１２および第２のフレームメモリ２２２に２フレーム分以上の階調データが格納される構成としても良い。
【図面の簡単な説明】
【００３６】
【図１】本発明の一実施形態に係る液晶表示装置の表示制御回路の詳細な構成を示すブロック図である。
【図２】上記実施形態における液晶表示装置の全体構成を示すブロック図である。
【図３】上記実施形態におけるＬＵＴ（ルックアップテーブル）の一例を示す図である。
【図４】上記実施形態におけるＬＵＴの一部について、補間したものを示す図である。
【図５】上記実施形態において、印加階調の符号化データへの変換について説明するための図である。
【図６】上記実施形態において、階調データの伝送のために必要とされる信号線の本数について説明するための図である。
【図７】従来例における液晶表示装置の構成を示すブロック図である。
【符号の説明】
【００３７】
２１０…第１の表示制御回路
２１１…信号入力部
２１２…第１のフレームメモリ
２１３…オーバーシュートパラメータ演算部
２１４…符号化部
２１５…第１のＬＵＴ（ルックアップテーブル）
２２０…第２の表示制御回路
２２１…復号化部
２２２…第２のフレームメモリ
２２３…第２のＬＵＴ（ルックアップテーブル）
３１０…第１のソースドライバ
３２０…第２のソースドライバ
４００…ゲートドライバ
５００…表示部
ＤＦ…符号化データ
Ｋｓ…前フレーム階調
Ｋｔ…現フレーム階調
Ｋｕ…印加階調
【図１】
2007078914.tif 000003
【図２】
2007078914.tif 000004
【図３】
2007078914.tif 000005
【図４】
2007078914.tif 000006
【図５】
2007078914.tif 000007
【図６】
2007078914.tif 000008
【図７】
2007078914.tif 000009